(57)【要約】【課題】フォントサイズの小さいハーフトーンの文字の視認性を向上させることができる文字情報処理装置、文字情報処理プログラム、及び画像形成装置を提供する。【解決手段】文字コード４３４とフォントサイズ４３５と色情報４３６とを含む文字情報４３２を記憶する記憶部４３と、文字情報４３２に基づいて、フォントサイズ４３５が小さいほど当該文字の明度を低くするように、色情報４３６を再設定することにより、印刷データを生成する印刷データ生成部４１と、印刷データ生成部４１により生成された印刷データを、プリンタ３へ出力する通信Ｉ／Ｆ部４４とを備えた。【選択図】図１
2008219561.tif 000002
【特許請求の範囲】
【請求項１】
文字コードとフォントサイズと色を表す色情報とを含む文字情報によって文字を表した文字データを、画像形成装置によって画像形成させるための印刷データに変換する文字情報処理装置であって、
前記文字情報を記憶する記憶部と、
前記記憶部に記憶されている文字情報に基づいて、フォントサイズが小さいほど当該文字情報で表される文字の明度を低くするように、当該文字情報の色情報を設定することにより、前記印刷データを生成する印刷データ生成部と、
前記印刷データ生成部により生成された印刷データを、前記画像形成装置へ出力する印刷データ出力部と
を備えることを特徴とする文字情報処理装置。
【請求項２】
前記色情報は、文字の色に含まれる複数の色成分毎の濃度を示す濃度値によって、当該文字の色を表すものであり、
前記印刷データ生成部は、前記記憶部に記憶されている文字情報のフォントサイズが予め設定された基準フォントサイズより小さい場合、当該文字情報の色情報における最も濃度の濃い色成分を代表色成分とすると共に、当該代表色成分を除く他の色成分のうち少なくとも一つの濃度値を、濃度が濃くなるように変化させること
を特徴とする請求項１記載の文字情報処理装置。
【請求項３】
前記色情報は、文字の色に含まれる複数の色成分毎の濃度を示す濃度値によって、当該文字の色を表すものであり、
前記印刷データ生成部は、前記記憶部に記憶されている文字情報のフォントサイズが予め設定された基準フォントサイズより小さく、かつ当該文字情報の色情報における最も濃度の濃い色成分以外の色成分における濃度値の合計に対する当該最も濃度の濃い色成分における濃度値の比率が予め設定された判定閾値を超える場合、当該文字情報の色情報における最も濃度の濃い色成分を代表色成分とすると共に、当該代表色成分を除く他の色成分のうち少なくとも一つの濃度値を、濃度が濃くなるように変化させること
を特徴とする請求項１記載の文字情報処理装置。
【請求項４】
前記色情報は、前記複数の色成分としてＣ（シアン）、Ｍ（マゼンダ）、及びＹ（イエロー）を含み、
前記印刷データ生成部は、前記記憶部に記憶されている文字情報のフォントサイズが予め設定された基準フォントサイズより小さい場合であって、かつ、前記代表色成分がＣ（シアン）であればＭ（マゼンダ）の濃度値を濃度が濃くなるように変化させ、前記代表色成分がＭ（マゼンダ）であればＹ（イエロー）の濃度値を濃度が濃くなるように変化させ、前記代表色成分がＹ（イエロー）であればＣ（シアン）の濃度値を濃度が濃くなるように変化させること
を特徴とする請求項２又は３記載の文字情報処理装置。
【請求項５】
前記色情報は、文字の色に含まれる色成分としてＣ（シアン）、Ｍ（マゼンダ）、Ｙ（イエロー）、及びＫ（黒）を含み、当該色成分毎の濃度を示す濃度値によって、当該文字の色を表すものであり、
前記印刷データ生成部は、前記記憶部に記憶されている文字情報のフォントサイズが予め設定された基準フォントサイズより小さい場合、当該文字情報の色情報におけるＫ（黒）の濃度値を濃度が濃くなるように変化させること
を特徴とする請求項１記載の文字情報処理装置。
【請求項６】
文字コードとフォントサイズと色を表す色情報とを含む文字情報によって文字を表した文字データを、画像形成装置によって画像形成させるための印刷データに変換する処理をコンピュータに実行させる文字情報処理プログラムであって、
前記文字情報を記憶する記憶手段と、
前記記憶手段に記憶されている文字情報に基づいて、フォントサイズが小さいほど当該文字情報で表される文字の明度を低くするように、当該文字情報の色情報を設定することにより、前記印刷データを生成する印刷データ生成手段と、
前記印刷データ生成手段により生成された印刷データを、前記画像形成装置へ出力する印刷データ出力手段として、
コンピュータを機能させることを特徴とする文字情報処理プログラム。
【請求項７】
文字コードとフォントサイズと色を表す色情報とを含む文字情報によって文字を表した文字データを、画像形成用の印刷データに変換し、当該印刷データに基づき画像形成を行う画像形成装置であって、
前記文字情報を記憶する記憶部と、
前記記憶部に記憶されている文字情報に基づいて、フォントサイズが小さいほど当該文字情報で表される文字の明度を低くするように、当該文字情報の色情報を設定することにより、前記印刷データを生成する印刷データ生成部と、
前記印刷データ生成部により生成された印刷データに基づき画像形成を行う画像形成部と
を備えることを特徴とする画像形成装置。
【発明の詳細な説明】
【技術分野】
【０００１】
本発明は、文字を文字コードとフォントサイズとを含む文字情報によって表した文字データを、画像形成用の印刷データに変換する文字情報処理装置、文字情報処理プログラム、及び画像形成装置に関する。
【背景技術】
【０００２】
従来、例えば折れ線グラフや表の枠線等、線を画像形成する場合、線が細いと画像の視認性が悪くなるという、不都合があった。そこで、画像形成しようとする印刷データにおいて、線、及び当該線の幅を検出し、線幅が所定値より細い場合に当該線の濃度を濃くすることにより、線の視認性を向上するようにした画像処理装置が知られている（例えば、特許文献１参照。）。
【特許文献１】特開平５−１３０４３９号公報
【発明の開示】
【発明が解決しようとする課題】
【０００３】
ところで、文字をハーフトーンで画像形成する場合、文字のフォントサイズが小さくなるほど視認性が低下するという不都合があった。しかしながら、文字は線ではないので、特許文献１に記載の技術を適用することはできず、フォントサイズの小さいハーフトーンの文字の視認性を向上させることはできなかった。また、仮に文字の辺を線画として取り扱かうことにより、特許文献１に記載の技術を適用したとしても、文字の辺以外の点や撥ねには適用できず、文字の視認性を充分向上させることはできない。また、文字のフォントサイズの大小は、必ずしも線幅の大小と対応しないから、仮に特許文献１に記載の技術を文字に適用したとしても、フォントサイズの小さいハーフトーンの文字の視認性を充分向上させることはできない。
【０００４】
本発明は、このような事情に鑑みて為された発明であり、フォントサイズの小さいハーフトーンの文字の視認性を向上させることができる文字情報処理装置、文字情報処理プログラム、及び画像形成装置を提供することを目的とする。
【課題を解決するための手段】
【０００５】
本発明に係る文字情報処理装置は、文字コードとフォントサイズと色を表す色情報とを含む文字情報によって文字を表した文字データを、画像形成装置によって画像形成させるための印刷データに変換する文字情報処理装置であって、前記文字情報を記憶する記憶部と、前記記憶部に記憶されている文字情報に基づいて、フォントサイズが小さいほど当該文字情報で表される文字の明度を低くするように、当該文字情報の色情報を設定することにより、前記印刷データを生成する印刷データ生成部と、前記印刷データ生成部により生成された印刷データを、前記画像形成装置へ出力する印刷データ出力部とを備える。
【０００６】
この構成によれば、印刷データ生成部によって、記憶部に記憶されている文字情報に基づいて、フォントサイズが小さいほど、すなわち視認性が低いほど、当該文字情報で表される文字の明度を低くするように当該文字の色情報が設定されて印刷データが生成され、その印刷データが、印刷データ出力部によって、画像形成装置へ出力される。そうすると、フォントサイズが小さく視認性が低い文字ほど、明度が低くされて視認性が向上されるので、フォントサイズの小さいハーフトーンの文字の視認性を向上させることができる。
【０００７】
また、前記色情報は、文字の色に含まれる複数の色成分毎の濃度を示す濃度値によって、当該文字の色を表すものであり、前記印刷データ生成部は、前記記憶部に記憶されている文字情報のフォントサイズが予め設定された基準フォントサイズより小さい場合、当該文字情報の色情報における最も濃度の濃い色成分を代表色成分とすると共に、当該代表色成分を除く他の色成分のうち少なくとも一つの濃度値を、濃度が濃くなるように変化させることが好ましい。
【０００８】
この構成によれば、印刷データ生成部によって、記憶部に記憶されている文字情報のフォントサイズが予め設定された基準フォントサイズより小さく、視認性が低いおそれがある場合、当該文字情報の色情報における最も濃度の濃い色成分が代表色成分とされて、当該代表色成分を除く他の色成分のうち少なくとも一つの濃度値が、濃度が濃くなるように変化された印刷データが生成される。この場合、フォントサイズが基準フォントサイズより小さい文字の、最も濃度の濃い色成分とは異なる色成分の濃度値が、濃度が濃くなるように変化されることで、当該文字の明度を低下させることができる。
【０００９】
また、前記色情報は、文字の色に含まれる複数の色成分毎の濃度を示す濃度値によって、当該文字の色を表すものであり、前記印刷データ生成部は、前記記憶部に記憶されている文字情報のフォントサイズが予め設定された基準フォントサイズより小さく、かつ当該文字情報の色情報における最も濃度の濃い色成分以外の色成分における濃度値の合計に対する当該最も濃度の濃い色成分における濃度値の比率が予め設定された判定閾値を超える場合、当該文字情報の色情報における最も濃度の濃い色成分を代表色成分とすると共に、当該代表色成分を除く他の色成分のうち少なくとも一つの濃度値を、濃度が濃くなるように変化させるようにしてもよい。
【００１０】
この構成によれば、印刷データ生成部によって、記憶部に記憶されている文字情報のフォントサイズが予め設定された基準フォントサイズより小さく、かつ当該文字情報の色情報における最も濃度の濃い色成分以外の色成分における濃度値の合計に対する当該最も濃度の濃い色成分における濃度値の比率が予め設定された判定閾値を超え、すなわち色成分の偏りが大きいと考えられる場合、当該文字情報の色情報における最も濃度の濃い色成分が代表色成分とされると共に、当該代表色成分を除く他の色成分のうち少なくとも一つの濃度値が、濃度が濃くなるように変化される。この場合、フォントサイズが基準フォントサイズより小さく視認性が低いおそれのある文字において、最も濃度の濃い色成分とは異なる色成分の濃度が濃くなるように変化されることで、当該文字の明度を低下させることができる。
【００１１】
また、前記色情報は、前記複数の色成分としてＣ（シアン）、Ｍ（マゼンダ）、及びＹ（イエロー）を含み、前記印刷データ生成部は、前記記憶部に記憶されている文字情報のフォントサイズが予め設定された基準フォントサイズより小さい場合であって、かつ、前記代表色成分がＣ（シアン）であればＭ（マゼンダ）の濃度値を濃度が濃くなるように変化させ、前記代表色成分がＭ（マゼンダ）であればＹ（イエロー）の濃度値を濃度が濃くなるように変化させ、前記代表色成分がＹ（イエロー）であればＣ（シアン）の濃度値を濃度が濃くなるように変化させることが好ましい。
【００１２】
この構成によれば、フォントサイズが基準フォントサイズより小さく視認性が低いおそれのある場合において、色成分がＣ（シアン）に偏っている場合、Ｍ（マゼンダ）の濃度値が濃くなるように変化されてＢ（ブルー）に近づけられ、色成分がＭ（マゼンダ）に偏っている場合、Ｙ（イエロー）の濃度値が濃くなるように変化されてＲ（レッド）に近づけられ、色成分がＹ（イエロー）に偏っている場合、Ｃ（シアン）の濃度値が濃くなるように変化されてＧ（グリーン）に近づけられる結果、色の変化の不自然さを低減しつつ、明度を低下させて文字の視認性を向上させることができる。
【００１３】
また、前記色情報は、文字の色に含まれる色成分としてＣ（シアン）、Ｍ（マゼンダ）、Ｙ（イエロー）、及びＫ（黒）を含み、当該色成分毎の濃度を示す濃度値によって、当該文字の色を表すものであり、前記印刷データ生成部は、前記記憶部に記憶されている文字情報のフォントサイズが予め設定された基準フォントサイズより小さい場合、当該文字情報の色情報におけるＫ（黒）の濃度値を濃度が濃くなるように変化させるようにしてもよい。
【００１４】
この構成によれば、フォントサイズが基準フォントサイズより小さく視認性が低いおそれのある場合、印刷データ生成部によって、当該文字情報の色情報におけるＫ（黒）の濃度値が、濃度が濃くなるように変化される。そうすると、Ｋ（黒）は無彩色であるから、色の変化の不自然さを低減しつつ、明度を低下させて文字の視認性を向上させることができる。
【００１５】
また、本発明に係る文字情報処理プログラムは、文字コードとフォントサイズと色を表す色情報とを含む文字情報によって文字を表した文字データを、画像形成装置によって画像形成させるための印刷データに変換する処理をコンピュータに実行させる文字情報処理プログラムであって、前記文字情報を記憶する記憶手段と、前記記憶手段に記憶されている文字情報に基づいて、フォントサイズが小さいほど当該文字情報で表される文字の明度を低くするように、当該文字情報の色情報を設定することにより、前記印刷データを生成する印刷データ生成手段と、前記印刷データ生成手段により生成された印刷データを、前記画像形成装置へ出力する印刷データ出力手段としてコンピュータを機能させる。
【００１６】
また、本発明に係る画像形成装置は、文字コードとフォントサイズと色を表す色情報とを含む文字情報によって文字を表した文字データを、画像形成用の印刷データに変換し、当該印刷データに基づき画像形成を行う画像形成装置であって、前記文字情報を記憶する記憶部と、前記記憶部に記憶されている文字情報に基づいて、フォントサイズが小さいほど当該文字情報で表される文字の明度を低くするように、当該文字情報の色情報を設定することにより、前記印刷データを生成する印刷データ生成部と、前記印刷データ生成部により生成された印刷データに基づき画像形成を行う画像形成部とを備える。
【００１７】
この構成によれば、フォントサイズが小さく視認性が低い文字ほど、明度が低くされて視認性が向上されるので、フォントサイズの小さいハーフトーンの文字の視認性を向上させることができる。
【発明の効果】
【００１８】
このような構成の文字情報処理装置、文字情報処理プログラム、及び画像形成装置は、フォントサイズが小さく視認性が低い文字ほど、明度が低くされて視認性が向上されるので、フォントサイズの小さいハーフトーンの文字の視認性を向上させることができる。
【発明を実施するための最良の形態】
【００１９】
以下、本発明に係る実施形態を図面に基づいて説明する。なお、各図において同一の符号を付した構成は、同一の構成であることを示し、その説明を省略する。図１は、本発明の一実施形態に係る文字情報処理装置の一例であるパーソナルコンピュータの構成の一例を示すブロック図である。図１に示すパーソナルコンピュータ１は、例えばネットワーク２を介してプリンタ３とデータ送受信可能に接続されている。
【００２０】
図１に示すパーソナルコンピュータ１は、本体部４、ディスプレイ５、キーボード６、及びマウス７を備えている。
【００２１】
本体部４は、例えば所定の演算処理を実行するＣＰＵ（Central Processing Unit）、ＲＡＭ（Random Access Memory）、ＲＯＭ（Read Only Memory）、及びＨＤＤ（Hard Disk Drive）等の記憶装置により構成された記憶部４３と、通信Ｉ／Ｆ部４４（印刷データ出力部）と、その周辺回路等とを備えて構成されている。記憶部４３には、文字情報処理プログラム４３１やオペレーティングシステムその他のプログラム、及び文字情報４３２が記憶されている。文字情報処理プログラム４３１は、例えば、いわゆるプリンタドライバとして構成されている。通信Ｉ／Ｆ部４４は、例えばイーサネット（登録商標）や、ＵＳＢ（Universal Serial Bus）等のインターフェイス回路である。
【００２２】
そして、本体部４は、ＣＰＵによって、記憶部４３に記憶されている文字情報処理プログラム４３１を実行することにより、印刷データ生成部４１として機能する。
【００２３】
文字情報４３２は、例えばワードプロセッサ等の文書作成プログラムを本体部４で実行することにより生成された文書データである。文字情報４３２には、例えば、文書を構成する文字の文字コード４３４と、フォントサイズ４３５と、色情報４３６とが含まれている。また、色情報４３６は、文字の色を表すべく、Ｙ（イエロー）成分の濃度を示す濃度値Ｙと、Ｍ（マゼンダ）成分の濃度を示す濃度値Ｍと、Ｃ（シアン）成分の濃度を示す濃度値Ｃと、Ｋ（黒）成分の濃度を示す濃度値Ｋとを含んでいる。濃度値Ｙ、Ｍ、Ｃ、Ｋは、各色成分の濃度を、例えば８ビットで００ｈ〜ＦＦｈ（１６進表示）の範囲で表しており、濃度値Ｙ、Ｍ、Ｃ、Ｋの値が大きくなるほど濃い濃度を示すようになっている。以下、１６進数には「ｈ」を付して表記する。
【００２４】
印刷データ生成部４１は、記憶部４３に記憶されている文字情報４３２に基づいて、フォントサイズが小さいほど当該文字情報４３２で表される文字の明度を低くするように、当該文字情報４３２の色情報４３２を再設定することにより、プリンタ３へ出力するための印刷データを生成する。
【００２５】
次に、上述のように構成されたパーソナルコンピュータ１の動作について説明する。図２、図３は、図１に示すパーソナルコンピュータ１の動作の一例を示すフローチャートである。まず、印刷データ生成部４１によって、記憶部４３から印刷対象の文字情報４３２が読み出される（ステップＳ１）。
【００２６】
そして、印刷データ生成部４１によって、文字情報４３２のフォントサイズ４３５が、予め設定された基準フォントサイズＺと比較され（ステップＳ２）、フォントサイズ４３５が基準フォントサイズＺ以上であれば（ステップＳ２でＹＥＳ）、良好な視認性が得られる可能性が高いので、印刷データ生成部４１によって、色情報４３６を変更することなく文字情報４３２を用いて印刷データが生成され（ステップＳ３）、印刷データを画像形成装置によって画像形成させるべく、ステップＳ１５へ移行する。
【００２７】
一方、フォントサイズ４３５が基準フォントサイズＺに満たなければ（ステップＳ２でＮＯ）、文字が小さいために視認性が劣るおそれがあるので、視認性を向上させるべくステップＳ４へ移行する。この場合、基準フォントサイズＺは、例えば文字の色合いによって見づらくなるようなフォントサイズが予め設定されている。
【００２８】
なお、縮小拡大印刷や、１枚の用紙に２ページ分の画像を形成する２ｉｎ１の設定がされていた場合には、フォントサイズ４３５にその画像の倍率を乗じて得られるフォントサイズをフォントサイズ４３５の代わりに用いて、ステップＳ２の処理を行うようにしてもよい。これにより、縮小印刷や２ｉｎ１の設定がされている場合に、文字が縮小されることにより視認性が低下するおそれが低減される。
【００２９】
ステップＳ４において、印刷データ生成部４１によって、文字情報４３２の濃度値Ｙ，Ｍ，Ｃ，Ｋのうち、濃度値の最大ものが最大濃度値Ｄｍａｘとして設定され（ステップＳ４）、文字情報４３２の濃度値Ｙ，Ｍ，Ｃ，Ｋのうち、濃度値が最大ものを除く残余の濃度値の合計値Ｄｓｕｍが算出される（ステップＳ５）。
【００３０】
そして、印刷データ生成部４１によって、予め設定された判定閾値Ｔｙと（Ｄｍａｘ／Ｄｓｕｍ）とが比較され（ステップＳ６）、（Ｄｍａｘ／Ｄｓｕｍ）が判定閾値Ｔｙ以下であれば、色情報４３６は色成分の偏りが小さいと判断されてステップＳ１４へ移行する一方、（Ｄｍａｘ／Ｄｓｕｍ）が判定閾値Ｔｙを超えていれば、色情報４３６は色の偏りが大きいと判断されてステップＳ７へ移行する。
【００３１】
色成分の偏りが小さければ、濃度値Ｋ（黒）を増大させて色情報４３６で示される文字の明度を低下させる（ステップＳ１４）ことにより、文字の色合いを不自然に変化させることなく視認性を向上させることができる。しかし、色成分の偏りが大きいと、濃度値Ｋ（黒）を増大させて色情報４３６で示される文字の明度を低下させた場合、文字の色合いが不自然に変化してしまうおそれがある。そこで、色成分の偏りが大きい場合には、ステップＳ７以降の処理により、文字の色合いを不自然に変化させるおそれを低減しつつ、文字の視認性を向上させる。この場合、判定閾値Ｔｙは、例えば濃度値Ｋ（黒）を増大させて色情報４３６で示される文字の明度を低下させた場合に文字の色合いが不自然に変化しないような、色成分の偏りである（Ｄｍａｘ／Ｄｓｕｍ）の限界値、例えば０．５（５０％）が予め設定されている。
【００３２】
ステップＳ７において、印刷データ生成部４１によって、文字情報４３２の濃度値Ｙ，Ｍ，Ｃ，Ｋのうち、濃度値の最大のものが代表色成分として選択される。次に、印刷データ生成部４１によって代表色成分が確認され、代表色成分がＣ（シアン）であった場合（ステップＳ８でＹＥＳ）、印刷データ生成部４１によって、濃度値Ｍに予め設定された加算値Ｄｓが加算されて得られた文字情報４３２に基づき印刷データが生成され（ステップＳ９）、ステップＳ１５へ移行する。
【００３３】
図４は、ステップＳ８〜Ｓ１３の動作を説明するための説明図である。ステップＳ８において、代表色成分がＣ（シアン）であった場合（ステップＳ８でＹＥＳ）、色情報４３６で示される文字の色は、Ｃ（シアン）に偏っている。そこで、濃度値Ｍに例えば加算値Ｄｓを加算するなどして濃度値Ｍを増大させると（ステップＳ９）、当該文字色はＢ（ブルー）に近づくと共に明度が低下する。このように、Ｃ（シアン）をＢ（ブルー）に近づけるように色を変化させた場合には、色の変化の不自然さを低減しつつ、明度を低下させて文字の視認性を向上させることができる。加算値Ｄｓとしては、視認性を向上させることができる程度の濃度値、例えば「３Ｆｈ」が予め設定されている。
【００３４】
次に、代表色成分がＣ（シアン）ではなく（ステップＳ８でＮＯ）、Ｍ（マゼンダ）であった場合（ステップＳ１０でＹＥＳ）、印刷データ生成部４１によって、濃度値Ｙに加算値Ｄｓが加算されて得られた文字情報４３２に基づき印刷データが生成され（ステップＳ１１）、ステップＳ１５へ移行する。この場合、Ｙ（イエロー）の濃度が濃くされて、Ｍ（マゼンダ）がＲ（レッド）に近づくように色が変化されるので、色の変化の不自然さを低減しつつ、明度を低下させて文字の視認性を向上させることができる。
【００３５】
次に、代表色成分がＭ（マゼンダ）ではなく（ステップＳ１０でＮＯ）、Ｙ（イエロー）であった場合（ステップＳ１２でＹＥＳ）、印刷データ生成部４１によって、濃度値Ｃに加算値Ｄｓが加算されて得られた文字情報４３２に基づき印刷データが生成され（ステップＳ１３）、ステップＳ１５へ移行する。この場合、Ｃ（シアン）の濃度が濃くされて、Ｙ（イエロー）がＧ（グリーン）に近づくように色が変化されるので、色の変化の不自然さを低減しつつ、明度を低下させて文字の視認性を向上させることができる。
【００３６】
例えば、濃度値Ｙが「７０ｈ」、濃度値Ｍが「００ｈ」、濃度値Ｃが「００ｈ」、濃度値Ｋが「００ｈ」の場合、すなわち文字の色がＹ（イエロー）の単色であった場合、濃度値Ｃが「００ｈ」に加算値Ｄｓ「３Ｆｈ」が加算されて濃度値Ｃが「３Ｆｈ」に設定される結果、Ｙ（イエロー）をＧ（グリーン）に近づけつつ明度を低下させて文字の視認性を向上させることができる。
【００３７】
次に、代表色成分がＣ（シアン）、Ｍ（マゼンダ）、Ｙ（イエロー）のいずれでもなかった場合（ステップＳ１２でＮＯ）、代表色成分はＫ（黒）なので、印刷データ生成部４１によって、濃度値Ｋに加算値Ｄｓが加算されて得られた文字情報４３２に基づき印刷データが生成され（ステップＳ１４）、ステップＳ１５へ移行する。ステップＳ１４において、代表色成分がＫ（黒）の場合、色成分の偏りは小さいので、濃度値Ｋ（黒）を増大させることにより、色の変化の不自然さを低減しつつ明度を低下させて文字の視認性を向上させることができる。
【００３８】
次に、ステップＳ１５において、ステップＳ１〜Ｓ１５の処理により、色の変化の不自然さを低減しつつ明度を低下させて文字の視認性を向上させた印刷データが、印刷データ生成部４１からの制御信号に応じて通信Ｉ／Ｆ部４４によってプリンタ３へ送信される（ステップＳ１５）。これにより、色の変化の不自然さを低減しつつ明度を低下させて視認性を向上させた文字を、プリンタ３によって、画像形成させることができる。
【００３９】
なお、ステップＳ４〜Ｓ１３の処理を行わず、フォントサイズ４３５が基準フォントサイズＺに満たなければ（ステップＳ２でＮＯ）、印刷データ生成部４１は、ステップＳ１４へ移行して、濃度値Ｋに加算値Ｄｓを加算して得られた文字情報４３２に基づき印刷データを生成するようにしてもよい。濃度値Ｋ（黒）は無彩色であり、濃度値Ｋ（黒）を増大させて明度を低下させた場合には、色の変化の不自然さを低減しつつ明度を低下させて視認性を向上させることが容易となる。この場合、必ずしも濃度値Ｋ（黒）を増大させる例に限らない。文字の明度は、いずれの色成分を増大させた場合であってもある程度明度が低下するので、視認性の向上が期待できる。
【００４０】
また、ステップＳ４〜Ｓ６の処理を行わず、色成分の偏りの程度に関わらず、ステップＳ７において、濃度値Ｙ，Ｍ，Ｃ，Ｋのうち、濃度値の最大のものを代表色成分としてステップＳ８以降の処理を行うようにしてもよい。
【００４１】
また、基準フォントサイズＺ、判定閾値Ｔｙ、及び加算値Ｄｓは、例えばキーボード６やマウス７を用いてユーザが任意に設定したり、プリンタ３からネットワーク２を介してパーソナルコンピュータ１へ送信することで記憶部４３に記憶させたりする構成としてもよい。
【００４２】
この場合、ユーザが、プリンタ３で印刷された画像を確認して基準フォントサイズＺ、判定閾値Ｔｙ、及び加算値Ｄｓの値を調節したり、予めプリンタ３の性能に応じてプリンタ３に記憶させておいた基準フォントサイズＺ、判定閾値Ｔｙ、及び加算値Ｄｓを記憶部４３に記憶させたりすることにより、基準フォントサイズＺ、判定閾値Ｔｙ、及び加算値Ｄｓの値を、文字の視認性の向上させるために最適化することが容易となる。
【００４３】
また、例えば、基準フォントサイズを複数設けて、フォントサイズ４３５が小さいほど段階的に加算値Ｄｓが大きくなるようにしてもよい。
【００４４】
また、文字情報処理装置が、プリンタ３とは別のパーソナルコンピュータ１である例を示したが、例えば図５に示すように、プリンタや複写機、あるいはこれらを組み合わせた複合機等の画像形成装置８に、印刷データ生成部４１と記憶部４３とを制御部８１として備え、記憶部４３に、文字情報処理プログラム４３１、及び文字情報４３２を記憶させ、印刷データ生成部４１により生成された印刷データに基づき、例えば電子写真方式やインクジェット方式等により用紙に画像を形成する画像形成部８３に画像形成を行わせるようにしてもよい。
【００４５】
この場合、画像形成装置８は、文字情報４３２を、例えばコンピュータ９からイーサネット（登録商標）やＵＳＢ等のネットワーク２を介して通信Ｉ／Ｆ部８２によって受信し、記憶部４３に記憶させるようにしてもよい。また、ディスプレイ５の代わりに例えば液晶表示装置により構成されたディスプレイ８４を備え、キーボード６やマウス７の代わりにキースイッチやタッチパネル等により構成された操作部８５を備えるようにしてもよい。
【００４６】
これにより、画像形成装置８は、コンピュータ９から受信した文字情報４３２におけるフォントサイズの小さいハーフトーンの文字の視認性を向上させて、用紙に画像形成を行うことができる。
【図面の簡単な説明】
【００４７】
【図１】本発明の一実施形態に係る文字情報処理装置の一例であるパーソナルコンピュータの構成の一例を示すブロック図である。
【図２】図１に示すパーソナルコンピュータの動作の一例を示すフローチャートである。
【図３】図１に示すパーソナルコンピュータの動作の一例を示すフローチャートである。
【図４】図１に示すパーソナルコンピュータの動作を説明するための説明図である。
【図５】本発明の一実施形態に係る画像形成装置の構成の一例を示すブロック図である。
【符号の説明】
【００４８】
１  パーソナルコンピュータ
２  ネットワーク
３  プリンタ
４  本体部
５，８４  ディスプレイ
６  キーボード
７  マウス
８  画像形成装置
９  コンピュータ
４１  印刷データ生成部
４３  記憶部
４４，８２  通信Ｉ／Ｆ部
８１  制御部
８３  画像形成部
８５  操作部
４３１  文字情報処理プログラム
４３２  文字情報
４３４  文字コード
４３５  フォントサイズ
４３６  色情報
Ｙ，Ｍ，Ｃ，Ｋ  濃度値
【図１】
2008219561.tif 000003
【図２】
2008219561.tif 000004
【図３】
2008219561.tif 000005
【図４】
2008219561.tif 000006
【図５】
2008219561.tif 000007